(57)【要約】【課題】  従来、光ディスクの固有情報を認識するパターンが媒体のみで構成する目視情報であるため、使用者による識別はできるが、再生装置による識別ができず、管理情報と整合性のない不正な構成であっても従来同様の記録再生処理を実行してしまう点を解決する。【解決手段】  本発明の課題は、管理領域及び記録領域を有する光ディスクにおいて、管理領域は光ディスクが規定の物理特性を満たすことを示す画像圧縮処理された画像データを含む光ディスクにより達成される。【選択図】図１
2005322286.tif 000002
【特許請求の範囲】
【請求項１】
管理領域及び記録領域を有する光ディスクであって、
上記管理領域は画像データを含むことを特徴とする光ディスク。
【請求項２】
請求項１記載の前記画像データは、前記光ディスクが規定の物理特性を満たすことを示す画像データであることを特徴とする光ディスク。
【請求項３】
請求項１記載の前記画像データは、前記光ディスクの供給元を示す画像データであることを特徴とする光ディスク。
【請求項４】
請求項２又は請求項３記載の画像データは、ビットマップ情報及び色情報とから構成されることを特徴とする光ディスク。
【請求項５】
請求項２又は請求項３記載の画像データは、画像圧縮処理後、記録されたことを特徴とする光ディスク。
【請求項６】
請求項５記載の画像圧縮処理は、ＪＰＥＧであることを特徴とする光ディスク。
【請求項７】
請求項５記載の画像圧縮処理は、ＭＰＥＧであることを特徴とする光ディスク。
【請求項８】
管理領域及び記録領域を有する光ディスクを再生する光ディスク再生装置であって、
上位装置からの画像データの要求に応じて上記管理領域に含まれる画像データを再生、上位装置に転送することを特徴とする光ディスク再生装置。
【請求項９】
管理領域及び記録領域を有する光ディスクを再生する光ディスク再生装置であって、
光ディスクの上記管理領域に含まれる画像データを再生、該画像データが期待される画像データであるかどうか判断することを特徴とする光ディスク再生装置。
【請求項１０】
請求項９に記載の光ディスク再生装置であって、
前記管理領域に含まれる画像データが期待される画像データと異なると判断された場合、記録領域内のユーザデータの再生を中止することを特徴とする光ディスク再生装置。
【発明の詳細な説明】
【技術分野】
【０００１】
本発明は光ディスク、及び光ディスク再生装置に関し、詳細にはＲＯＭ領域を有する記録型光ディスクとＲＯＭ領域に記録されたデータを再生する光ディスク再生装置に関する。
【背景技術】
【０００２】
近年、ビデオテープからＴＶ等の映像を記録するために用いられる記録媒体は光ディスクの一種であるＤＶＤへと変わりつつある。記録可能なＤＶＤとしては追記型光ディスクであるＤＶＤ―Ｒ、書き換え型であるＤＶＤ−ＲＷ及びＤＶＤ−ＲＡＭ等がある。
【０００３】
また昨年地上デジタル放送の記録に適した記録フォーマットを有し、ＤＶＤの５倍程度の記録容量を持つＢＤが市場に登場した。
【０００４】
これらの記録型光ディスクには論理フォーマットや物理形状が異なるも光ディスクの管理情報として光ディスクを駆動するために再生装置（光ディスク再生装置）側で必要なもの、例えば記録再生のための初期条件・媒体のベンダー情報・製造管理情報・フォーマットバージョン情報・セキュリティ情報等々が予め記録される。
【０００５】
よって通常記録型光ディスクは、予め物理的に光ディスクに関する管理情報を記録する管理領域と映像などのユーザデータや再生装置が管理データを記録する記録領域とを有している。この予め管理情報が記録された管理領域は通称コントロールトラック領域と一般的には呼ばれる。
【０００６】
ディスクの製造過程で管理領域にデータ記録する方式は複数提案されている。例えば特許文献１では、ＣＮＲを改善するため記録領域とは異なるトラック幅を持つが、溝深さを記録領域と同じにするためトラッキングを行うトラックを形成するためにディスク上にスパイラル状に形成されたグルーブをウォブリングすることによって、管理領域にデータを記録する方式、また再生方法について述べられている。
【０００７】
これらの光ディスクに記録されている管理情報は再生装置がその光ディスクにデータを記録、または光ディスクからデータを読み出すために必要な情報を提供するのが目的であり、通常使用者に対して情報を提供することは無い。従来の管理情報は再生装置動作を問題なく行わせることを第一の目的としているからであり、使用者は媒体ベンダーと再生装置ベンダーとの組み合わせに対して関心を持つに留まる。
【０００８】
そのため再生装置ベンダーは光ディスク内の管理情報にある媒体ベンダー情報を用いて管理情報に記録されないさらに詳細な駆動条件を独自に設定するような設計を再生装置に施す。
【０００９】
しかしこの媒体ベンダー情報を第三者の媒体ベンダーが使用した場合、すなわち第三者の媒体ベンダーが再生装置の受け入れを目的に該媒体ベンダーの情報を盗用した場合、再生装置が正常に動作せず、使用者の効果的な利用を不可能にする。
【００１０】
管理情報としての媒体ベンダー情報は媒体の販売責任があることを示す指標としての意味合いもあるため、こうした場合、その障害クレームは盗用された本来の媒体ベンダーに届けられ、結果として市場の信用を大きく損ねる結果をもたらす。
【００１１】
このように影響は媒体の使用者のみに留まらず、本来の媒体ベンダー・再生装置ベンダーにも多大な有形・無形の損害を引き起こす危険性がある。
【００１２】
ここで問題になる媒体ベンダーの管理情報は、通常コードで記録される。具体的にはアスキーコードを使用し、３〜８文字程度で媒体ベンダーを識別している。
【００１３】
管理情報として意味あるコードデータを設定するのは当然であるが、このコードデータの使用を規制する手段は無く、文字数が少ない場合には著作権等の法的救済も受けることができない。しかし少なくとも使用開始する段階で、使用する媒体がどのようなものであるか使用者に情報提供することができれば使用者に判断を委ねることが可能になる。
【００１４】
そのため使用者が媒体の素性を確実に判断できる情報を提供する手段が必要とされている。
【００１５】
従来の光ディスクにおける管理情報提供手段としては、例えば特許文献２や特許文献３に記載されているように光ディスク上に肉眼で目視できる固有情報パターンを浮かび出して、使用者に認識できるようにしたものがある。この固有パターンを設けた領域は、特に管理情報領域として設定した領域ではないが、使用者に目に見える形で媒体ベンダーの確認が行えるようにした例である。
【００１６】
【特許文献１】特開２００３−１２３３３３号公報
【特許文献２】特開平８−３１００９号公報
【特許文献３】特開平７−１３０１３４号公報
【発明の開示】
【発明が解決しようとする課題】
【００１７】
しかし、従来の技術では固有情報を認識するパターンが媒体のみで構成する目視情報であるため、使用者による識別はできるが、再生装置による識別ができないため、管理情報と整合性のない不正な構成であっても従来同様の記録再生処理を実行してしまうものである。
【００１８】
そこで、本発明はこの点を解決することを目的とする。
【課題を解決するための手段】
【００１９】
本発明の目的は、次の(１)から(４)により達成される。
（１）管理領域及び記録領域を有する光ディスクにおいて、管理領域は光ディスクが規定の物理特性を満たすことを示す画像圧縮処理された画像データを含む光ディスク。
（２）管理領域及び記録領域を有する光ディスクにおいて、前記光ディスクの供給元を示す画像圧縮処理された画像データを含む光ディスク。
（３）管理領域及び記録領域を有する光ディスクを再生する光ディスク再生装置において、上位装置からの画像データの要求に応じて管理領域に含まれる画像データを再生、上位装置に転送する光ディスク再生装置。
（４）管理領域及び記録領域を有する光ディスクを再生する光ディスク再生装置において、光ディスクの上記管理領域に含まれる画像データを再生、画像データが期待される画像データであるかどうかを判断し、期待された画像データと異なると判断された場合、記録領域内のユーザデータの再生を中止する光ディスク再生装置。
【発明の効果】
【００２０】
本発明の管理領域内に、第三者の盗用から法的に保護された画像情報を含み、品質を保証、媒体ベンダーの特定を可能とする記録型光ディスクと、本画像情報を再生する再生装置から出力される画像情報を再生、接続された表示装置にて表示することで、使用者に対して光ディスクの信頼性と保証を視覚的に与えることが可能となる。
【００２１】
さらに第三者により製造される盗用された管理情報を持つ光ディスクの流通を阻止し、品質の良い記録媒体の確認を使用者自信が行うことにより信頼性の高いシステム運用が可能になる。
【発明を実施するための最良の形態】
【００２２】
以下、本発明の実施の具体的な形態について図を用いて説明する。
図１の光ディスク１０１はユーザデータを記録する記録領域１０２とがユーザデータの記録に関する管理情報を記録する領域１０４とで構成される。領域１０２と領域１０４の間には通常記録には使用しない第３の領域１０３を設け、鏡面又は溝やピット列で埋められることがある。これは緩衝領域として設けられる領域であり領域１０２と領域１０４の異なるフォーマット構成を吸収する役目をする。管理領域１０４は内周部に配置した例を示しているが、フォーマット仕様により外周部に配置することや、内外周部それぞれに配置される場合もある。いずれにせよ、一般的に光ディスクを駆動する際に記録領域１０２に先立って再生される領域をなす。ここでは管理領域１０４は光ディスク再生装置において記録領域１０２同様トラッキングを行うために設けられるグルーブをウォブリングさせることでデータが記録されるものとし、記録するデータ量を確保するため平均的にウォブルの周波数を高くし、クロストークを抑え、且つウォブルの振幅を大きくすることを可能とすることで良好な再生信号特性を得るため、記録領域１０２より広いトラック幅を持つものとする。従って緩衝領域１０３は管理領域１０４から記録領域１０２にかけてトラック幅の変化を吸収する役目を果たす。
【００２３】
図２及び図３に記録領域１０２に記録されるデータの論理フォーマットを示す。
【００２４】
図２はデータフレームの構成方法を示す。
【００２５】
記録領域１０２に記録される２０４８バイトからなる各メインデータには、データ識別のための４バイトのデータ識別コード（ＩＤ）と、ＩＤの誤り検出符号である２バイトのＩＥＤ、予備データ領域である６バイトのＲＳＶが付加される。このデータ列の最後部には、データに含まれる誤りを検出する４バイトの誤り検出符号ＥＤＣが付加され、全部で２０６４バイトのデータフレームを構成する。
【００２６】
図３にＥＣＣブロックの構成方法を示す。
【００２７】
１７２バイト１２行のデータフレームは、スクランブル処理が施された後、１６データフレーム単位でＥＣＣブロックを構成する。縦方向の各列には１６バイトの外符号（ＰＯ）が付けられる。そのためＥＣＣブロックは、１２行１６データフレーム分の１９２行のデータに１６行の外符号が付加され、２０８行となる。各行のデータに対して、１０バイトの内符号（ＰＩ）を付加し、１８２バイトのデータとする。
【００２８】
このように生成されたデータは、最後に周波数成分を制限するための周波数変調され、一定間隔で同期信号を挿入される処理が施される。
【００２９】
図４に光ディスク再生装置の構成を示す。
【００３０】
図４中、１０１は光ディスク、４０２はレーザダイオード及び光検出器を搭載する光ヘッド、４０３は復号化処理を行う再生信号処理回路、４０４は各ブロックの動作管理を行う制御マイコン、４０５はサーボ回路、４０６は上位装置とのインターフェース回路、４０７は入出力端子である。
【００３１】
再生時、光ディスク１０１の管理領域に記録されたデータは、光ヘッド４０２からトラッキングのためのプッシュプル信号と共に読み出され、データの周波数帯域に合わせたバンドパスフィルタを通して抽出された後、再生信号処理回路４０３内で復号化処理が行われる。この復号化処理には、復調処理、誤り訂正処理、デ・スクランブル処理が含まれる。復号化処理が行われた後に得られたメインデータはインターフェース回路４０６、入出力端子４０７を介して外部の上位装置（図示せず）などへ出力される。制御マイコン４０４は、上位装置などからの指令を受け、サーボ回路４０５を用いて光ディスク１０１の回転制御、光ヘッド４０３のフォーカス、トラッキング制御を行いながら指定された光ディスク１０１のデータの位置へのアクセスを行い、装置全体の再生制御する。
【００３２】
図５は管理領域のデータの取扱い単位とアドレスの関係を表す図である。
【００３３】
ここではデータの最小取扱い単位が４キロバイトである場合を例にして説明する。
【００３４】
管理領域が２キロバイトのメインデータを含むデータフレーム５１２０個から成るとする。このデータフレームを５個の管理領域ブロックに分け、それぞれの管理ブロックを５１２の４ｋＢデータフレームで分割する。すると管理領域の先頭アドレスが００  ０Ｄ  ９０  ００である場合の４ｋＢデータフレームの各アドレスは図５のようになる。
【００３５】
管理領域ブロックを構成する理由はデータの信頼性の確保が目的である。それぞれの管理領域ブロックは全て同一のメインデータを含む、４ｋＢデータフレームから形成されるとすると、同データを５重に記録することで１つの４ｋＢデータフレームがディフェクトや埃により光ディスク再生装置において再生が不可能であった場合においても他の４個の管理領域ブロックからデータを再生することが可能になる。
【００３６】
各管理領域ブロックの１番目の４ｋＢデータフレームには記録再生パラメータが記録されている。再生装置は起動時やディスク挿入時にパラメータの中に含まれる情報を基に再生装置内の各種制御パラメータを設定することになる。例えば再生レーザ光出力値、スピンドルを含むサーボゲインの設定、フォーマットバージョンへの対応、特定媒体メーカー用データの設定等々を行う。
【００３７】
この管理領域の他の４ｋＢデータフレーム中に不正使用が商標法で禁止された媒体性能を保証するライセンスロゴに関する画像データと媒体ベンダーを特定し第三者による使用を商標法や著作権法で禁止された情報、例えば媒体ベンダーのロゴや光ディスクのブランドロゴを画像データとして記録する。
【００３８】
この画像データにはＰＣまたはＡＶレコーダ、ＡＶプレーヤと相性が良いフォーマットが用いられる。
【００３９】
その１つとしてビットマップ形式が挙げられる。
【００４０】
ビットマップ形式とは、画像を点の集まりとして表現し、モノクロを含む２色の場合には、データの１ビットが１画素に対応し、カラーイメージでは、イメージの1ピクセルに複数のビットを割り当てる（２５６色なら８ビット）データ形式を表す。
【００４１】
一般的にＰＣの画像サイズとして広く普及しているＶＧＡサイズ（６４０＊４８０ピクセル）の画像データを２色で表現する場合、約３８キロバイトのデータサイズとなるため、４ｋＢデータフレームが１０個必要となる。またそれぞれのビット値（０と１）の色を示す情報を数ビット（１６色の中から色を選択する場合、４ビット）追加することで色情報を与えることが可能となる。また接続されるディスプレイとの相性を考慮し、原色信号（ＲＧＢ）から輝度信号成分を取り除いた色差信号：Ｙ／Ｃｒ／Ｃｂで色情報を表すことで色階調をテレビ同様にすることも可能である。
【００４２】
またここで想定するライセンスロゴや媒体ベンダーロゴは通常単色又は２色で表されることがほとんどであるためデータを効率良く小容量に圧縮して記録することが可能である。
【００４３】
画像データの圧縮方式と様々なものが存在するが、現在多くの光ディスクのＡＶ規格で採用されているＪＰＥＧ（Ｊｏｉｎｔ  Ｐｈｏｔｏｇｒａｐｈｉｃ  Ｅｘｐｅｒｔ  Ｇｒｏｕｐ、ＩＳＯ／ＩＥＣ１０９１８−１にて符号化アルゴリズムが規定された静止画圧縮方式）やＭＰＥＧ（Ｍｏｔｉｏｎ  Ｐｉｃｔｕｒｅ  Ｃｏｄｉｎｇ  Ｅｘｐｅｒｔｓ  Ｇｒｏｕｐ、ＩＳＯ／ＩＥＣ１３８１８−２にて符号化アルゴリズムが規定された動画圧縮方式）方式を用いることでＡＶレコーダ、ＡＶプレーヤで再生が容易に行うことが可能となる。特に両方式とも与えられたデータサイズに合わせたデータ圧縮が可能なため、事前にデータの記録サイズが決定されるような用途に適した圧縮方式でもある。
【００４４】
図５では各管理領域ブロック内の２番目から５番目の４ｋＢデータフレーム、１６キロバイトに光ディスクが規格に準拠することを示すライセンスロゴの静止画を記録するエリアに割り当てている。このデータは７２０＊４８０ピクセル（国内テレビのＳＤ解像度相当）または７２０＊５７６ピクセルの静止画をＭＰＥＧ２で容量を１６キロバイト以内に圧縮し、格納している。また６番目から３３番目までの２４個の４ｋデータフレーム、９６キロバイトを媒体ベンダーのフリーエリアとして設定し、媒体ベンダーロゴ等の商標や著作権が含まれる画像データを先のライセンスロゴと同じピクセル数持つ４枚のＭＥＰＧ２  Ｉピクチャによる静止画を格納、またはＭＰＥＧ２の動画を格納することで媒体の管理責任先を明確化する。
【００４５】
図８は光ディスク１０１に記録された画像圧縮技術が適用された画像データを表示するためのシステム構成を示した図である。
【００４６】
光ディスク１０１に記録された画像データは図４に示したような光ヘッド、及び再生信号処理回路等で構成される光ディスク再生回路８０１において、デジタル放送のデータ形式、またはＰＣのファイル形式と同じ形のデジタルデータに変換され、バッファ用ＲＡＭ４０８に蓄えられる。次にバッファ用ＲＡＭ４０８内のデータは圧縮画像データ復元処理回路８０２の記録領域内の画像データの要求に応じて出力され、圧縮画像データ復元処理回路８０２において圧縮された画像データからディスプレイなどの画像表示回路８０３に合わせたデータ形式に画像データを復元した後、画像表示回路８０３に転送され、表示される。
【００４７】
このシステム構成は光ディスクを記録媒体に用いたビデオカメラのような１つの製品として形成される必要はなく、ＰＣにおいては光ディスク再生回路８０１及びバッファ用ＲＡＭ４０８はＤＶＤ−ＲＯＭ等の光ディスクドライブとして見なすことができ、圧縮画像データ復元処理回路８０２はＰＣに内蔵されたＭＰＥＧ２デコード回路やＭＰＥＧ２デコードソフトウェア等であり、画像表示回路８０３はＰＣディスプレイであったりする。また従来のＶＣＲに相当するＡＶレコーダやＡＶプレーヤでは、光ディスク再生回路８０１、バッファ用ＲＡＭ４０８及び圧縮画像データ復元処理回路８０２までを含み、画像表示回路８０３はテレビであるといった形式も取りうるし、光ディスク再生回路８０１、バッファ用ＲＡＭ４０８までがＡＶプレーヤに内蔵され、圧縮画像データ復元処理回路８０２はデジタルテレビチューナであり、画像表示回路８０３はデジタルテレビチューナに接続されるテレビやディスプレイであるといった形式も取りうる。
【００４８】
画像データは再生装置が光ディスクの初期化動作を行っている期間に表示を行うことができる。
【００４９】
図６に光ディスクを光ディスク再生装置に装填してからユーザデータを記録領域に記録再生開始できるまでのプロセスを示した。
【００５０】
光ディスクを光ディスク再生装置に装填すると、光ディスク媒体に対してまず記録されている管理情報を再生するステップに移る。再生された管理情報は再生装置の初期値設定に使用されると同時に、管理情報として記録されていた画像データの表示を行う。再生装置の設定が完了すれば記録領域の記録再生動作が可能になる。この状態を受けて、管理情報である画像データは表示を完了する。
【００５１】
またここで品質の保証ができないディスクが流通し、ユーザに混乱を与えることを防止する目的で、ロゴライセンスの画像データを内部に再生装置内部に含まれるＲＯＭデータと比較するなどといった方法で判別を行い、再生装置で装着された光ディスクは予め定められたロゴライセンス情報を含んでいないと判断された場合、光ディスク再生装置はディスクの記録再生を中止するといったように動作を切り替えることも可能である。
【００５２】
再生装置の初期化期間のみ管理情報の表示を行う実施例を示した。
【００５３】
同様に光ディスクを初期化する作業が発生する場合にも、初期化期間は管理情報の表示を行うことができる。通常最初に光ディスクを使用するときにはフォーマット処理が必要であり、この期間は上記の初期化期間に相当する。
【００５４】
上記実施例の状況を示したのが図７である。図７は光ディスク再生装置と表示装置が一体化した例であり、光ディスクを記録媒体に用いたビデオカメラで説明する。
ビデオカメラには記録用の光ディスク媒体を装填する。光ディスクは装填と同時に使用することはできず、光ディスク再生装置が初期化作業を終了するまでは撮影に入れない。使用者はその間待たされるが、図示するように表示装置を用いて管理情報の一部を表示させることができる。表示画像は媒体供給ベンダーを特定し第三者による使用を禁止された固有情報を示している。この表示は撮影可能になる前までには終了させる。
【図面の簡単な説明】
【００５５】
【図１】光ディスクを示した説明図である。
【図２】データフレームの構成を示した説明図である。
【図３】ＥＣＣブロックの構成を示した説明図である。
【図４】光ディスク再生装置の構成を示した説明図である。
【図５】管理領域のデータ構造を示した説明図である。
【図６】管理領域内の画像データの表示シーケンスを示した説明図である。
【図７】画像データが表示される動作を示した説明図である。
【図８】圧縮された画像データを表示するシステム構成を示した説明図である。
【符号の説明】
【００５６】
１０１…光ディスク、４０２…光ヘッド、４０３…再生信号処理回路、４０４…制御マイコン、４０５…サーボ回路、４０６…インターフェース回路、４０７…入出力端子、４０８…ＲＡＭ、８０１…光ディスク再生回路、８０２…圧縮画像データ復元回路、８０３…画像表示回路。
【図１】
2005322286.tif 000003
【図２】
2005322286.tif 000004
【図３】
2005322286.tif 000005
【図４】
2005322286.tif 000006
【図５】
2005322286.tif 000007
【図６】
2005322286.tif 000008
【図７】
2005322286.tif 000009
【図８】
2005322286.tif 000010